(57)【特許請求の範囲】
【請求項１】
アナログ電話を用いて電話網の相手端末及び一又は二以上のパケット網の相手サーバーのうち、選択した一の相手端末又は相手サーバーとの間で通話を行うパケット網音声網複合システムであって、
前記アナログ電話からのダイアル信号に基づいて、前記電話網及び一又は二以上のパケット網のうち、使用するネットワークを選択し、決定した方路にだけ信号と音声データを伝送すると共に、決定した方路からの信号と音声データを前記アナログ電話へ伝送する振り分け装置と、
前記一又は二以上のパケット網に対応して設けられており、前記振り分け装置からの音声データをパケットに変換すると共に、前記振り分け装置からの信号を対応して設けられた前記パケット網内で用いられるシグナリングプロトコルに変換して対応して設けられた前記パケット網へ送信し、対応して設けられた前記パケット網からの音声パケットは音声データに変換して前記振り分け装置へ送信する一又は二以上の第１のメディアゲートウェイと、
前記電話網に対応して設けられており、前記振り分け装置からの音声データを送信し、前記振り分け装置からの信号は前記電話網で用いられる信号に変換して送信し、受信した音声データは前記振り分け装置へ送信する第２のメディアゲートウェイと、
前記第２のメディアゲートウェイから送信された前記音声データ及び信号を終端し、前記電話網内での方路を決定し、前記音声データの交換と信号の変換を行い転送する加入者交換機と
を有し、前記振り分け装置は、入力された電話番号を１桁ずつ蓄積する蓄積手段と、その蓄積手段により蓄積された番号列とデータベースに予め登録されている方路選択用番号列とを比較照合して方路を決定する方路決定手段と、該方路決定手段により方路が決定されるまで前記第１及び第２のメディアゲートウェイに前記蓄積手段に入力された電話番号を通知する第１の通知手段と、前記方路決定手段により方路が決定されたときには、決定した方路以外の方路の前記第１又は第２のメディアゲートウェイに対しては、発呼処理放棄／着信拒否の指示信号を送信する送信手段と、前記方路決定手段により方路が決定されたときには、決定した方路の前記第１又は第２のメディアゲートウェイに対して、前記蓄積手段により蓄積された番号列に続く入力電話番号を通知する第２の通知手段とからなることを特徴とするパケット網音声網複合システム。
【請求項２】
アナログ電話を用いて電話網の相手端末及び一又は二以上のパケット網の相手サーバーのうち、選択した一の相手端末又は相手サーバーとの間で通話を行うパケット網音声網複合システムであって、
前記アナログ電話からのダイアル信号を終端し、専用のシグナリングプロトコルで信号を伝送する集線装置と、
前記集線装置からの信号に基づき、前記電話網及び一又は二以上のパケット網のうち、使用するネットワークを選択し、決定した方路にだけ信号と音声データを伝送すると共に、決定した方路からの信号と音声データを前記アナログ電話へ伝送する振り分け装置と、
前記一又は二以上のパケット網に対応して設けられており、前記振り分け装置からの音声データをパケットに変換すると共に、前記振り分け装置からの信号を対応して設けられた前記パケット網内で用いられるシグナリングプロトコルに変換して対応して設けられた前記パケット網へ送信し、対応して設けられた前記パケット網からの音声パケットは音声データに変換して前記振り分け装置へ送信する一又は二以上の第１のメディアゲートウェイと、
前記電話網に対応して設けられており、前記振り分け装置からの音声データを送信し、前記振り分け装置からの信号は前記電話網で用いられる信号に変換して送信し、受信した音声データは前記振り分け装置へ送信する第２のメディアゲートウェイと、
前記第２のメディアゲートウェイから送信された前記音声データ及び信号を終端し、前記電話網内での方路を決定し、前記音声データの交換と信号の変換を行い転送する加入者交換機と
を有し、前記振り分け装置は、入力された電話番号を１桁ずつ蓄積する蓄積手段と、その蓄積手段により蓄積された番号列とデータベースに予め登録されている方路選択用番号列とを比較照合して方路を決定する方路決定手段と、該方路決定手段により方路が決定されるまで前記第１及び第２のメディアゲートウェイに前記蓄積手段に入力された電話番号を通知する第１の通知手段と、前記方路決定手段により方路が決定されたときには、決定した方路以外の方路の前記第１又は第２のメディアゲートウェイに対しては、発呼処理放棄／着信拒否の指示信号を送信する送信手段と、前記方路決定手段により方路が決定されたときには、決定した方路の前記第１又は第２のメディアゲートウェイに対して、前記蓄積手段により蓄積された番号列に続く入力電話番号を通知する第２の通知手段とからなることを特徴とするパケット網音声網複合システム。
【発明の詳細な説明】
【０００１】
【発明の属する技術分野】
本発明はパケット網音声網複合システムに係り、特にインターネットプロトコル（ＩＰ）網に代表されるパケット網上で音声通話を行うパケット網音声網複合システムに関する。
【０００２】
【従来の技術】
ＩＰ網に代表されるパケット網上で音声通話を行う技術が確立されつつある。これまでは音声通話は公衆電話回線網（ＰＳＴＮ）を用い、音声以外のリアルタイム性を必要としないデータ通信はＩＰ網に代表されるパケット網を用いるように使い分けがなされてきた。しかし、ＩＰ網技術の進歩に伴い、伝送遅延、遅延揺らぎなどを小さくする、網制御技術が実用段階に入ろうとしている。
【０００３】
ＩＰ網に代表されるパケット網上で音声通話を行う場合には、専用の端末（ＩＰ電話端末など）が必要である。一方、ＩＰ電話端末などの専用の端末を用いず、既存の電話端末でＩＰ網を利用した音声通話を行うためには、メディアゲートウェイと呼ばれる装置が必要である。すなわち、図６に示すように、従来は既存の電話端末であるアナログ電話１１は、通常は加入者交換機１２を介して電話網１３に接続して音声通話を行い、また、既存の電話端末であるアナログ電話１４を用いて、ＩＰ網１６を利用した音声通話を行うためには、メディアゲートウェイ１５を必要とする。
【０００４】
メディアゲートウェイ１５は、既存の電話で用いられる信号（ＤＰ、ＰＢ、又は信号メッセージ）をパケット化し、ＩＰ網１６内に設置される対向装置、又は呼制御用のサーバーに送出する機能を持つ。また、音声信号をパケット化し送出する機能、パケット化した音声データを受信したときには音声を再生し、既存電話端末に送出する機能が必要である。
【０００５】
既存電話端末をＩＰ網に接続するための装置として、上記のメディアゲートウェイ１５以外に、メディアゲートウェイ機能を組み込んだ加入者交換機が既に存在する。しかし、これらの装置では、接続を変更するか、事前にどちらか一方のネットワークを用いるように設定して用いられる。このため、ユーザによるネットワークの使い分けができない。例えば、商用の電話の場合には、音質として信頼性が高い電話網を用い、私用の場合には通話料金の安いＩＰ網を利用するなどの発呼毎のネットワークの使い分けができない。そこで、発呼毎のネットワークの使い分け、すなわち、ユーザの入力する電話番号に基づく方路決定を実現するシステムが要求される。
【０００６】
ユーザが入力する着信電話番号の通知方式は２つに分類することができる。第１の方法は、アナログ電話のＤＰ、ＰＢ信号に代表される方式である。番号１桁１桁をその都度通知する方式である。いま、これを仮に逐次通知方式と呼ぶことにする。第２の方法は、ＩＳＤＮのＱ．９３１に代表される方式であり、ユーザが入力する電話番号を蓄積し、１つのメッセージで着信電話番号を通知する方式である。いま、これを仮に一括通知方式と呼ぶことにする。
【０００７】
データ通信のプロトコルであるＩＰ上で音声データを転送する技術であるＶｏＩＰ(Voice over Internet Protocol)で用いられるシグナリングプロトコルとしてＨ．３２３、Ｈ．２４８、ＭＧＣＰ(Media Gateway Control Protocol)、ＳＩＰなどがあるが、このうちＨ．３２３とＳＩＰは一括通知方式であり、Ｈ．２４８とＭＧＣＰは逐次通知方式である。また、既存電話網で用いるシグナリングプロトコルとして上記Ｑ．９３１以外にＶ５などがある。ＤＰを生成するアナログ電話にＶ５シグナリングを用いる場合には、番号１桁１桁をその都度通知する逐次通知方式をとる。
【０００８】
アナログ電話は逐次通知方式であることから、これを一括通知方式のネットワークに接続する場合、網接続装置内部で逐次通知方式で伝えられる１桁ずつの信号を蓄積し、電話番号の入力が終わったことを検出し、１つのメッセージとして網に伝えなければならない。逆に、一括通知方式で受信した着信電話番号を逐次通知方式のネットワークに伝えるためには、着信電話番号の１桁１桁をある間隔をおいて送信しなければならない。
【０００９】
【発明が解決しようとする課題】
ユーザが入力する電話番号に基づいて、用いるネットワークを選択するシステムの場合、方路のうちの幾つかが逐次通知方式のシグナリングを使用し、他の幾つかが一括通知方式を使用する場合がある。この場合、方路切替機能を司る装置は、アナログ電話から入力する逐次通知方式の信号を一時蓄積し、蓄積した着信電話番号に基づき、方路を決定する。
【００１０】
これに対し、決定した方路が逐次通知方式の場合、着信電話番号の１番最初の番号から一つずつ間隔をおいて送信する必要がある。このため、方路切替機能を司る装置は、アナログ電話から入力する逐次通知方式の信号を一時蓄積し、蓄積した着信電話番号に基づき方路が決まり、方路が決まってから着信電話番号を１桁ずつ網に伝えるため、時間がかかってしまう。ユーザから見た場合には、電話番号入力後、相手が呼び出されるまで、必要以上の時間を待たされることになる。
【００１１】
本発明は以上の点に鑑みなされたもので、ユーザの入力する電話番号に基づく方路決定を実現すると共に、待ち時間を短縮し得るパケット網音声網複合システムを提供することを目的とする。
【００１２】
【課題を解決するための手段】
本発明は上記の目的を達成するため、アナログ電話を用いて電話網の相手端末及び一又は二以上のパケット網の相手サーバーのうち、選択した一の相手端末又は相手サーバーとの間で通話を行うパケット網音声網複合システムであって、アナログ電話からのダイアル信号に基づいて、電話網及び一又は二以上のパケット網のうち、使用するネットワークを選択し、決定した方路にだけ信号と音声データを伝送すると共に、決定した方路からの信号と音声データをアナログ電話へ伝送する振り分け装置と、一又は二以上のパケット網に対応して設けられており、振り分け装置からの音声データをパケットに変換すると共に、振り分け装置からの信号を対応して設けられたパケット網内で用いられるシグナリングプロトコルに変換して対応して設けられたパケット網へ送信し、対応して設けられたパケット網からの音声パケットは音声データに変換して振り分け装置へ送信する一又は二以上の第１のメディアゲートウェイと、電話網に対応して設けられており、振り分け装置からの音声データを送信し、振り分け装置からの信号は電話網で用いられる信号に変換して送信し、受信した音声データは振り分け装置へ送信する第２のメディアゲートウェイと、第２のメディアゲートウェイから送信された音声データ及び信号を終端し、電話網内での方路を決定し、音声データの交換と信号の変換を行い転送する加入者交換機とを有する構成としたものである。
【００１３】
この発明では、振り分け装置において、アナログ電話からのダイアル信号に基づいて、電話網及び一又は二以上のパケット網のうち、使用するネットワークを選択し、方路を決定するまでの間、すべてのメディアゲートウェイに信号（番号）を逐次通知し、番号を何桁か受信した後方路が決定した時点で、決定した方路以外の他の方路のメディアゲートウェイに対して発呼処理放棄処理を行うようにしたため、電話番号をすべて蓄積して方路が決まってからダイアル信号を１桁ずつ網に伝える従来システムに比べて着信までの時間を短くできる。
【００１５】
また、本発明は上記の目的を達成するため、アナログ電話を用いて電話網の相手端末及び一又は二以上のパケット網の相手サーバーのうち、選択した一の相手端末又は相手サーバーとの間で通話を行うパケット網音声網複合システムであって、アナログ電話からのダイアル信号を終端し、専用のシグナリングプロトコルで信号を伝送する集線装置と、集線装置からの信号に基づき、電話網及び一又は二以上のパケット網のうち、使用するネットワークを選択し、決定した方路にだけ信号と音声データを伝送すると共に、決定した方路からの信号と音声データをアナログ電話へ伝送する振り分け装置と、一又は二以上のパケット網に対応して設けられており、振り分け装置からの音声データをパケットに変換すると共に、振り分け装置からの信号を対応して設けられたパケット網内で用いられるシグナリングプロトコルに変換して対応して設けられたパケット網へ送信し、対応して設けられたパケット網からの音声パケットは音声データに変換して振り分け装置へ送信する一又は二以上の第１のメディアゲートウェイと、電話網に対応して設けられており、振り分け装置からの音声データを送信し、振り分け装置からの信号は電話網で用いられる信号に変換して送信し、受信した音声データは振り分け装置へ送信する第２のメディアゲートウェイと、第２のメディアゲートウェイから送信された音声データ及び信号を終端し、電話網内での方路を決定し、音声データの交換と信号の変換を行い転送する加入者交換機とを有する構成したものである。
【００１６】
この発明では、振り分け装置に基づいて、アナログ電話からのダイアル信号に基づいて、電話網及び一又は二以上のパケット網のうち、使用するネットワークを選択し、方路を決定して音声パスを張るようにしたため、方路が決まってからダイアル信号を１桁ずつ網に伝える従来システムに比べて着信までの時間を短くできる。
【００１８】
また、上記の目的を達成するため、以上の発明における振り分け装置は、入力された電話番号を１桁ずつ蓄積する蓄積手段と、その蓄積手段により蓄積された番号列とデータベースに予め登録されている方路選択用番号列とを比較照合して方路を決定する方路決定手段と、方路決定手段により方路が決定されるまで第１及び第２のメディアゲートウェイに蓄積手段に入力された電話番号を通知する第１の通知手段と、方路決定手段により方路が決定されたときには、決定した方路以外の方路の第１又は第２のメディアゲートウェイに対しては、発呼処理放棄／着信拒否の指示信号を送信する送信手段と、方路決定手段により方路が決定されたときには、決定した方路の第１又は第２のメディアゲートウェイに対して、蓄積手段により蓄積された番号列に続く入力電話番号を通知する第２の通知手段とを有することを特徴とする。
【００１９】
【発明の実施の形態】
次に、本発明の実施の形態について図面と共に説明する。図１は本発明になるパケット網音声網複合システムの一実施の形態のシステム構成図を示す。この実施の形態では、アナログ電話２１が振り分け装置２２を介してメディアゲートウェイ２３、２４及び２５に接続され、またメディアゲートウェイ２３及び２４がＩＰ網２６及びＩＰ網２７に接続され、メディアゲートウェイ２５が加入者交換機２８を介して電話網２９に接続されており、アナログ電話２１が電話網２９だけでなく、メディアゲートウェイ２３、２４及び２５を介してＩＰ網２６、ＩＰ網２７及び電話網２９を利用して音声通話ができるものとする。
【００２０】
アナログ電話２１は、ＤＰ（ダイアルパルス）信号やＰＢ（プッシュボタン）信号などのダイアル信号を生成することができる電話端末である。振り分け装置２２は、アナログ電話２１から受信するＤＰ信号又はＰＢ信号に基づいて、使用するネットワークを選択し、決定した方路にだけ信号と音声を伝える装置である。また、振り分け装置２２は、選択された方路以外のメディアゲートウェイに対しては、話中状態であることを通知するか、又は着信をできないようにするための処理を行う。
【００２１】
第１及び第２のメディアゲートウェイ２３及び２４は、振り分け装置２２から受信した音声データをＩＰパケットに変換すると共に、受信した信号をＩＰ網２６及び２７内で用いられるシグナリングプロトコルに変換し、呼制御サーバー３０及び３１又は対向装置に送信する。また、第１及び第２のメディアゲートウェイ２３及び２４は、ＩＰ網２６及び２７から受信した音声パケットを音声データに復元し、振り分け装置２２に送信する。
【００２２】
第３のメディアゲートウェイ２５は、アナログ電話２１から振り分け装置２２を経由して受信する音声データを電話網２９に送信すると同時に、電話網２９から受信した音声データを振り分け装置２２に送信する。従って、第３のメディアゲートウェイ２５には、音声データのＩＰパケット化機能は不要である。また、第３のメディアゲートウェイ２５は、振り分け装置２２から受信する信号を、電話網２９で用いられる信号に変換し、加入者交換機２８に送信する。
【００２３】
加入者交換機２８はメディアゲートウェイ２５から受信する音声データ、信号を終端し、受信した信号に基づいて電話網２９内での方路を決定し、音声データの交換、信号の変換を行い、転送する装置である。
【００２４】
図２は上記の振り分け装置２２の一実施の形態のブロック図を示す。同図に示すように、振り分け装置２２は、信号検出装置２２１、信号判別転送装置２２２及びスイッチ回路２２３より構成されている。信号検出装置２２１は、アナログ回線からＤＰ信号又はＰＢ信号を検出し、それを内部信号に変換し、信号判別転送装置２２２に送信する。
【００２５】
信号判別転送装置２２２は、受信した内部信号に基づき、方路、すなわちメディアゲートウェイを選択した後、選択したメディアゲートウェイに対して装置内部信号手段を用いて信号を送出すると共に、選択した方路に音声パスを張るようにスイッチ回路２２３に指示を出す。選択した方路以外のメディアゲートウェイに対しては、着信をできなくするための処理を行う。スイッチ回路２２３は、信号判別転送装置２２２からの指示に基づき、信号検出回路２２１を介して接続されるアナログ回線との音声パスの切り替えを行う。
【００２６】
次に、上記の実施の形態の動作について説明する。ユーザはアナログ電話２１を用いて所望の電話番号をダイアルする。すなわち、ＰＢ信号又はＤＰ信号を生成する。このダイアルした電話番号に応じて用いるネットワークを選択することを可能にする。例えば、通常の電話番号（例えば、03-1234-5678）をダイアルした場合には電話網２９を、電話番号の最初に１１１を付加した番号（111-03-1234-5678）をダイアルした場合にはＩＰ網２６を、電話番号の最初に２２２を付加した番号（222-03-1234-5678）をダイアルした場合にはＩＰ網２７を用いて通話を行うとする。この場合、電話番号の上位３桁を入力するまで、どのネットワークを使用するかは決まらないことになる。
【００２７】
振り分け装置２２内の信号検出装置２２１は、アナログ電話２１からアナログ回線を介して入力された上記の電話番号のＰＢ信号又はＤＰ信号を検出し、それを内部信号として信号判別転送装置２２２に供給する。これにより、信号判別転送装置２２２は、図３のフローチャートに従った動作を行う。
【００２８】
すなわち、信号判別転送装置２２２は、まず、信号検出装置２２１からＰＢ信号又はＤＰ信号に相当する内部信号、すなわち電話番号の１桁に対応する信号を受信すると（ステップＳ１）、受信した番号を蓄積する（ステップＳ２）。次に、信号判別転送装置２２２は、蓄積した番号列がデータベースに登録された番号列と比較照合して方路を決定できるか調べる（ステップＳ３）。
【００２９】
方路を決定できない場合は、すべてのメディアゲートウェイ２３〜２５に受信した番号を通知した後（ステップＳ４）、ステップＳ１に戻り、次の１桁の番号入力を受信し、以下ステップＳ２、Ｓ３、Ｓ４の動作を行うことを、蓄積した番号列がデータベースに登録された番号列との比較照合により方路を決定できるまで繰り返す。すなわち、信号判別転送装置２２２は、受信した番号を１桁ずつ蓄積すると共に、すべてのメディアゲートウェイ２３〜２５にその受信した番号を１桁ずつ通知することを、方路が決定できるまで繰り返す。
【００３０】
ここでは、電話番号の上位３桁が「１１１」のとき方路Ａ、「２２２」のとき方路Ｂ、それ以外のとき方路Ｃと決定することができる。従って、一例として、ユーザが“１”、“１”、“１”と続けてダイアルしたとする。３度目の“１”の入力により、３桁の番号“１１１”が蓄積される。すると、信号判別転送装置２２２は、蓄積した番号列“１１１”がデータベースに登録された方路選択用番号列「１１１」と同一であり、その方路が第１のＩＰ網２６の方路Ａであることを判別する。信号判別転送装置２２２は、方路Ａを判別すると、続いて方路Ａ以外の方路、すなわち、第２のＩＰ網２７及び電話網２９に対して発呼処理を中断し、着信を拒否するように、内部信号を用いて方路Ａ以外の方路Ｂ及びＣのメディアゲートウェイ２４及び２５に発呼処理放棄／着信拒否の指示を出す（ステップＳ５）。
【００３１】
発呼処理放棄／着信拒否の指示を受け取ったメディアゲートウェイ２４及び２５は、各網内で用いられるシグナリングプロトコルを用いてＩＰ網２７及び電話網２９に対して同様の発呼処理放棄／着信拒否の指示を出す。指示の方法はＩＰ網２７及び電話網２９で用いるシグナリングプロトコルによって異なる。例えば、電話網２９の場合、オフフックに相当する信号を送信し、更にその後ポートブロックの処理を行う。
【００３２】
次に、信号判別転送装置２２２は、スイッチ回路２２３に対して音声パスを第１のメディアゲートウェイ２３に向けるように指示を出す（ステップＳ６）。この指示によってアナログ電話２１から入力される音声信号は、スイッチ回路２２３及びメディアゲートウェイ２３を経由してＩＰ網２６へと接続される。その後、信号判別転送装置２２２は、信号検出装置２２１から信号（電話番号１桁）を受信して（ステップＳ７）、受信した電話番号を第１のメディアゲートウェイ２３に通知する（ステップＳ８）ことを、残りのすべての電話番号を受信・通知するまで繰り返す。
【００３３】
同様に、ユーザが例えば電話網２９の通常の電話番号（例えば、03-1234-5678）をダイアル入力しようとして、最初の３桁、すなわち“０”、“３”、“１”を続けてダイアルした時点で、信号判別転送装置２２２は、蓄積した番号列“０３１”がデータベースに登録された方路選択用番号列「１１１」及び「２２２」のいずれとも異なるから、方路Ｃ宛てであると方路を決定し（ステップＳ３）、続いて方路Ｃ以外の方路、すなわち、第１及び第２のＩＰ網２６及び２７に対して発呼処理を中断し、着信を拒否するように、内部信号を用いて方路Ｃ以外の方路Ａ及びＢのメディアゲートウェイ２３及び２４に発呼処理放棄／着信拒否の指示を出す（ステップＳ５）。
【００３４】
一方、この時点では、既にステップＳ４の処理により、電話番号の上位３桁「０３１」が既に方路Ａのメディアゲートウェイ２５に通知されているので、メディアゲートウェイ２５は続けて電話番号の上位４桁目から入力される（ステップＳ７、Ｓ８）。従って、電話番号の全桁を一旦蓄積して方路を決定してから、電話網に１桁ずつ電話番号を通知する従来方式に比べて、本実施の形態によれば、短時間で相手と回線接続することができる。
【００３５】
このようにして、本実施の形態によれば、ユーザが使用する網を選択することができると共に、それを実現するために設けた振り分け装置２２による番号判別による不要な時間をなくすことができ、従来に比べて短時間で相手を呼び出すことができる。
【００３６】
次に、本発明の他の実施の形態について説明する。図４は本発明になるパケット網音声網複合システムの他の実施の形態のシステム構成図を示す。同図中、図１と同一構成部分には同一符号を付し、その説明を省略する。図４に示す実施の形態は、集線装置３３を利用した点に特徴がある。アナログ電話は集線から伝送するため、又は長距離の伝送を行うために、集線装置を利用することがある。この実施の形態では、集線装置３３はアナログ電話２１が生成するＤＰ信号を終端し、専用のシグナリングプロトコルで信号を伝えることがある。シグナリングプロトコルの例としては、Ｖ５.１（ETS 300 324-1）、Ｖ５.２（ETS 300 347-1）、ＧＲ−３０３(Telcordia GR-303-CORE)などがある。
【００３７】
この実施の形態では、集線装置３３とメディアゲートウェイ２３〜２５との間に接続される振り分け装置３４は、図５に示すように、信号判別転送装置３４１及びスイッチ回路３４２とより構成されており、信号判別転送装置３４１にシグナリングプロトコルを収容するようにしているため、信号検出装置は不要である。本実施の形態も、図１の実施の形態と同様の動作が行われ、ユーザが使用する網を選択することができると共に、それを実現するために設けた振り分け装置３４による番号判別による不要な時間をなくすことができる。
【００３８】
なお、本発明は以上の実施の形態に限定されるものではなく、例えば、ＩＰ網は一つでもよく、三以上でもよい。また、電話番号の最初に付加される３桁の方路選択用番号列によりＩＰ網２６及び２７のどちらを選択するか決定していたが、電話網２９を選択する番号も併せて設定してもよく、また方路選択用番号列の桁数は３桁には限定されない（ただし、通常の電話番号よりも少ない桁数）。
【００３９】
【発明の効果】
以上説明したように、本発明によれば、振り分け装置において、アナログ電話からのダイアル信号に基づいて、電話網及び一又は二以上のパケット網のうち、使用するネットワークを選択し、方路を決定するまでの間、すべてのメディアゲートウェイに信号（番号）を逐次通知し、番号を何桁か受信した後方路が決定した時点で、決定した方路以外の他の方路のメディアゲートウェイに対して発呼処理放棄処理を行うことにより、電話番号をすべて蓄積して方路が決まってからダイアル信号を１桁ずつ網に伝える従来システムに比べて着信までの時間を短くしたため、着信までの不要な時間をなくすことができ、相手が呼び出されるまでの時間待ちを短縮できる。
【図面の簡単な説明】
【図１】本発明の一実施の形態のシステム構成図である。
【図２】図１中の振り分け装置の一実施の形態のブロック図である。
【図３】図２中の信号判別転送装置の動作説明用フローチャートである。
【図４】本発明の他の実施の形態のシステム構成図である。
【図５】図４中の振り分け装置の一実施の形態のブロック図である。
【図６】従来の一例の構成図である。
【符号の説明】
２１  アナログ電話
２２、３４  振り分け装置
２３、２４、２５  メディアゲートウェイ
２６、２７  ＩＰ網
２８  加入者交換機
２９  電話網
３０、３１  呼制御サーバー
３３  集線装置
２２１  信号検出装置
２２２、３４１  信号判別転送装置
２２３、３４２  スイッチ回路
【図１】
0003654215.tif 000002
【図２】
0003654215.tif 000003
【図３】
0003654215.tif 000004
【図４】
0003654215.tif 000005
【図５】
0003654215.tif 000006
【図６】
0003654215.tif 000007